(57)【要約】  上面部（２１）と、上面部（２１）に接続された側面部（２２）と、上面部（２１）と反対側に配置されて側面部（２２）に接続された底面部（２３）と、を備え、側面部（２２）には、角丸面部（２５）が形成され、角丸面部（２５）上に、第一の折り畳み変形誘導部（３１）が形成され、第一の折り畳み変形誘導部（３１）は、容器（１１）の中心軸（Ａ）と角丸面部（２５）とが重なるように容器（１１）を側面部（２２）側から見た時に、中心軸（Ａ）に対して斜めである、樹脂製容器（１１）を提供する。
2018181574.tif 000002
【特許請求の範囲】
【請求項１】
所定量の液体が収容可能であると共に可撓性を有し、前記液体の廃液に伴って容器が潰れるウォーターサーバー用樹脂製容器であって、  液体の出入口部が形成された上面部と、  前記上面部に接続された側面部と、  前記上面部と反対側に配置されて前記側面部に接続された底面部と、  を備え、  前記側面部には、前記容器を前記上面部側から見た時に前記容器が角丸の多角形状になるように角丸面部が形成され、  前記角丸面部上に、長尺状の第一の折り畳み変形誘導部が形成され、  前記第一の折り畳み変形誘導部は、前記容器の前記液体の出入口部を通る中心軸と前記角丸面部とが重なるように前記容器を側面部側から見た時に、前記中心軸に対して斜めである、樹脂製容器。
【請求項２】
前記角丸面部上に、長尺状の第二の折り畳み変形誘導部が形成され、  前記第二の折り畳み変形誘導部は、前記中心軸と前記角丸面部とが重なるように前記容器を側面部側から見た時に、前記第一の折り畳み変形誘導部の前記中心軸に対する傾きと異なる傾きで、前記中心軸に対して斜めである、  請求項１に記載の樹脂製容器。
【請求項３】
前記角丸面部上に、長尺状の第三の折り畳み変形誘導部が形成され、  前記第三の折り畳み変形誘導部は、前記中心軸と前記角丸面部とが重なるように前記容器を側面部側から見た時に、前記中心軸に対して直交している、  請求項１又は請求項２に記載の樹脂製容器。
【請求項４】
前記中心軸と前記角丸面部とが重なるように前記容器を側面部側から見た時に、前記第一の折り畳み変形誘導部及び前記第二の折り畳み変形誘導部を脚とし、前記第一の折り畳み変形誘導部及び前記第二の折り畳み変形誘導部の前記容器の前記上面部側の端部を結ぶ線を上底とし、前記第一の折り畳み変形誘導部及び前記第二の折り畳み変形誘導部の前記容器の前記底面部側の端部を結ぶ線を下底とする台形の前記上底及び前記下底が、前記中心軸に対して直交しており、  前記台形は、前記中心軸方向に複数設けられており、  前記上面部に最も近い前記台形の高さが、前記底面部に最も近い前記台形の高さよりも大きく、  隣り合う前記台形のうち、前記上面部側の前記台形の高さが、前記底面部側の前記台形の高さ以上である、  請求項２に記載の樹脂製容器。
【発明の詳細な説明】
【技術分野】
【０００１】  本発明は、ウォーターサーバー用の樹脂製容器に関する。
【背景技術】
【０００２】  近年、健康志向や自然災害に対する備えの必要性といった意識が高まり、バッグ・イン・ボックス（ＢＩＢ）と称される容器の需要が高まっている。このＢＩＢは、飲料水（ミネラルウォーター）等の液体が充填された樹脂製容器を段ボール箱やカートンといった外装体に収容した複合構造式の容器である。保管・運搬は外装体に樹脂製容器を収容した状態で行い、使用時は外装体より取出した樹脂製容器をディスペンサ（ウォーターサーバー）にセットして給水等に供される。【０００３】  この樹脂製容器は、例えば、ポリエチレンテレフタレート（ＰＥＴ）等の可撓性を備えた材料をブロー成形機により成形した薄肉容器であり、容量が５〜１５リットル程度である。この樹脂製容器は可撓性を有し、上下を逆向きにしてウォーターサーバー上で使用する際に、液体の廃液に伴って大気圧により潰れていく。このような樹脂製容器は可撓性を有する薄肉容器であるので、特に、使用後に潰れて廃棄する使い捨て（ワンウェイ式）容器として用いられる。【０００４】  特許文献１には、底面付近に可撓性を有する帯状の吊り具を備えた、ウォーターサーバー用容器が開示されている。  特許文献２には、ウォーターディスペンサー用の容器であって、液体の廃液と共に、容器内の圧力と外気圧との違いにより生じる力により、容器の軸方向に潰れていく容器が開示されている。
【先行技術文献】
【特許文献】
【０００５】
【特許文献１】日本国特開２０１２−４６２１６号公報
【特許文献２】国際公開第２０１６／０５０９７７号
【発明の概要】
【発明が解決しようとする課題】
【０００６】  軟質なウォーターサーバー用の容器は、使用と共に大気圧によって押し潰される。その際、水の流れ、成形時に生じた容器の厚みの微小なばらつき、運搬時等で容器についた微小な傷、歪み等に起因して、容器が不規則に変形する。そして、完全な円筒型ではなく、角丸の側壁部分が形成されている容器の場合、その側壁部分が潰れずに、容器の支えになってしまう場合がある。この支えができてしまうと、容器の折り畳み変形が阻害され、廃液を完全に行えず、容器内に液体が残留してしまうという課題がある。【０００７】  本発明は、容器内での液体の残留を防止することができるウォーターサーバー用の樹脂製容器を提供することを目的とする。
【課題を解決するための手段】
【０００８】  上記課題を解決することのできる本発明の樹脂製容器は、  所定量の液体が収容可能であると共に可撓性を有し、前記液体の廃液に伴って容器が潰れるウォーターサーバー用樹脂製容器であって、  液体の出入口部が形成された上面部と、  前記上面部に接続された側面部と、  前記上面部と反対側に配置されて前記側面部に接続された底面部と、  を備え、  前記側面部には、前記容器を前記上面部側から見た時に前記容器が角丸の多角形状になるように角丸面部が形成され、  前記角丸面部上に、長尺状の第一の折り畳み変形誘導部が形成され、  前記第一の折り畳み変形誘導部は、前記容器の前記液体の出入口部を通る中心軸と前記角丸面部とが重なるように前記容器を側面部側から見た時に、前記中心軸に対して斜めである。【０００９】  この構成の樹脂製容器によれば、第一の折り畳み変形誘導部により、液体の廃液と共に容器に不規則な向きにかかる力を誘導して、容器の角丸面部が支えになることを防止することができる。その結果、容器内での液体が残留しないように、容器を潰れさせることができる。  また、上記の不規則な力は、水の流れ、成形時に生じた容器の厚みの微小なばらつき、運搬時等で容器についた微小な傷、歪み等により、生じると考えられる。この構成の樹脂製容器によれば、このような容器の状態にかかわらず、容器内に液体が残留しないように、容器を潰れさせることができる。【００１０】  本発明の樹脂製容器において、  前記角丸面部上に、長尺状の第二の折り畳み変形誘導部が形成され、  前記第二の折り畳み変形誘導部は、前記中心軸と前記角丸面部とが重なるように前記容器を側面部側から見た時に、前記第一の折り畳み変形誘導部の前記中心軸に対する傾きと異なる傾きで、前記中心軸に対して斜めであることが好ましい。【００１１】  この構成によれば、折り畳み変形誘導部が２種類設けられることで、さらに容器の角丸面部が支えになることを防止することができる。その結果、さらに容器内に液体が残留しないように、容器を潰れさせることができる。【００１２】  本発明の樹脂製容器において、  前記角丸面部上に、長尺状の第三の折り畳み変形誘導部が形成され、  前記第三の折り畳み変形誘導部は、前記中心軸と前記角丸面部とが重なるように前記容器を側面部側から見た時に、前記中心軸に対して直交していることが好ましい。【００１３】  折り畳み変形誘導部が３種類設けられることで、さらに一層容器の角丸面部が支えになることを防止することができる。その結果、さらに一層容器内に液体が残留しないように、容器を潰れさせることができる。【００１４】  本発明の樹脂製容器において、  前記中心軸と前記角丸面部とが重なるように前記容器を側面部側から見た時に、前記第一の折り畳み変形誘導部及び前記第二の折り畳み変形誘導部を脚とし、前記第一の折り畳み変形誘導部及び前記第二の折り畳み変形誘導部の前記容器の前記上面部側の端部を結ぶ線を上底とし、前記第一の折り畳み変形誘導部及び前記第二の折り畳み変形誘導部の前記容器の前記底面部側の端部を結ぶ線を下底とする台形の前記上底及び前記下底が、前記中心軸に対して直交しており、  前記台形は、前記中心軸方向に複数設けられており、  前記上面部に最も近��前記台形の高さが、前記底面部に最も近い前記台形の高さよりも大きく、  隣り合う前記台形のうち、前記上面部側の前記台形の高さが、前記底面部側の前記台形の高さ以上であることが好ましい。【００１５】  底面部側の側面部は、液体の廃液時に上面部側の側面部よりも先に潰れる。容器の底面部側の第一の折り畳み変形誘導部及び第二の折り畳み変形誘導部を脚とする台形の高さを短くすることで、廃液の初期において容器の変形を誘導しやすくなり、容器の角丸面部が支えになることを防止することができる。そして、廃液が進むと、内部の液体が減ることで液体による支えがなくなるため、変形する容器の高さ幅が大きくなる場合が多い。容器上部側の第一の折り畳み変形誘導部及び第二の折り畳み変形誘導部を脚とする台形の高さを長くすることで、廃液の中期及び終期においても容器の変形を誘導しやすくなり、容器の角丸面部が支えになることを防止することができる。その結果、容器内に液体が残留しないように、容器を潰れさせることができる。
【発明の効果】
【００１６】  本発明によれば、容器内での液体の残留を防止することができるウォーターサーバー用の樹脂製容器を提供することができる。
【図面の簡単な説明】
【００１７】
【図１】本発明の第一の実施形態に係るウォーターサーバー用の樹脂製容器を表す側面図である。
【図２】本発明の第一の実施形態に係るウォーターサーバー用の樹脂製容器を表す側面図である。
【図３】本発明の第一及び第二の実施形態に係るウォーターサーバー用の樹脂製容器を表す平面図である。
【図４】本発明の第一の実施形態に係るウォーターサーバー用の樹脂製容器を表す斜視図である。
【図５】本発明の第二の実施形態に係るウォーターサーバー用の樹脂製容器を表す側面図である。
【図６】本発明の第二の実施形態に係るウォーターサーバー用の樹脂製容器を表す側面図である。
【図７】本発明の第二の実施形態に係るウォーターサーバー用の樹脂製容器を表す斜視図である。
【発明を実施するための形態】
【００１８】  以下、本発明に係る樹脂製容器の実施の形態の例を、図面を参照して説明する。
【００１９】（第一の実施形態）  図１〜図４は本発明の第一の実施形態に係る樹脂製容器１１を示す図である。本実施形態において樹脂製容器１１は、上面部２１と、上面部２１に接続された側面部２２と、上面部２１と反対側に配置されて側面部２２に接続された底面部２３とを備え、略立方体形状に形成されている。その内部には、所定量の液体（飲料水等）が収容可能とされている。
【００２０】  上面部２１は、樹脂製容器１１の天面を形成するもので、その中心には、上方へ突出する筒状の出入口部２４が形成されている。樹脂製容器１１内には、出入口部２４から液体が流入される。また、樹脂製容器１１内の液体は、出入口部２４から流出される。出入口部２４には、キャップが取り付けられる。このキャップは出入口部２４に対して着脱可能とされており、出入口部２４にキャップを装着することで、樹脂製容器１１が密閉される。
【００２１】  側面部２２は、樹脂製容器１１の周面を形成するもので、上面部２１に接続されて下方側へ延在されている。底面部２３は、樹脂製容器１１の底面を形成するもので、上面部２１と反対側に配置されて側面部２２に接続されている。
【００２２】  側面部２２には、容器１１を上面部２１側から見た時に容器１１が角丸の正方形状に見えるように角丸面部２５が形成されている（図３）。図３の破線は、本実施形態における角丸面部２５に該当する箇所を示す線である。図３に示すように、角丸面部２５は、角丸が形成されている部分のみを指すわけではなく、角丸が形成されている部分から平坦な部分に延在している。また、図１〜図４の二点鎖線は、立体的形状を示す線ではないが、角丸面部２５の認識を容易にするための想像線である。
【００２３】  角丸面部２５上には、長尺状の第一の折り畳み変形誘導部３１が形成されている。この第一の折り畳み変形誘導部３１は、容器１１の出入口部２４を通る中心軸Ａと角丸面部２５とが重なるように容器１１を側面部２２側から見た時（すなわち図２のように見た時。以下単に、容器１１を角丸面部２５側から見た時、とする。）に、当該中心軸Ａに対して斜めになるように形成されている。なお、本明細書において斜めにとは、中心軸Ａに対して０°を超えて９０°未満であること又は中心軸Ａに対して９０°を超えて１８０°未満であることを意味する。
【００２４】  角丸面部２５上には、長尺状の第二の折り畳み変形誘導部３２が形成されている。第二の折り畳み変形誘導部３２は、容器１１を角丸面部２５側から見た時に、第一の折り畳み変形誘導部３１の中心軸Ａに対する傾きと異なる傾きで中心軸Ａに対して斜めになるように形成されている。また、第二の折り畳み変形誘導部３２は、中心軸Ａが角丸面部２５の中心線と重なるように容器１１を側面部２２側から見た時に、中心軸Ａを対称軸として第一の折り畳み変形誘導部３１と線対称の関係にある。
【００２５】  角丸面部２５上には、長尺状の第三の折り畳み変形誘導部３３が形成されている。この第三の折り畳み変形誘導部３３は、容器１１を角丸面部２５側から見た時に、中心軸Ａに対して直交するように形成され、第三の折り畳み変形誘導部３３の中心点を中心軸Ａが通る位置に形成されている。
【００２６】  角丸面部２５上には、容器１１を角丸面部２５側から見た時に、第三の折り畳み変形誘導部３３を対称軸として第一の折り畳み変形誘導部３１及び第二の折り畳み変形誘導部３２とそれぞれ線対称の関係となる、長尺状の第四の折り畳み変形誘導部３４及び第五の折り畳み変形誘導部３５が形成されている。
【００２７】  角丸面部２５上には、容器１１を角丸面部２５側から見た時に、第一の折り畳み変形誘導部３１〜第五の折り畳み変形誘導部３５を挟み込むように形成され、中心軸Ａに対して直交するように形成されている、第三の折り畳み変形誘導部３３よりも長い長尺状の第六の折り畳み変形誘導部３６が形成されている。
【００２８】  第一の折り畳み変形誘導部３１〜第六の折り畳み変形誘導部３６は、それぞれ角丸面部２５上に設けられた凹部である。角丸面部２５上には、第一の折り畳み変形誘導部３１〜第六の折り畳み変形誘導部３６により形成される１つのユニットが、中心軸Ａが延びる方向に３つ並んで形成されている。なお、第一の折り畳み変形誘導部３１と第二の折り畳み変形誘導部３２との間の角度、および、第四の折り畳み変形誘導部３４と第五の折り畳み変形誘導部３５との間の角度は、９０°以上の鈍角になっているのが望ましい。また、第一の折り畳み変形誘導部３１、第二の折り畳み変形誘導部３２、第四の折り畳み変形誘導部３４および第五の折り畳み変形誘導部３５の各々と第六の折り畳み変形誘導部３６との間の角度は、９０°以下の鋭角になっているのが望ましい。そして、第一の折り畳み変形誘導部３１〜第五の折り畳み変形誘導部３５が、これらの上下の位置に設けられた第六の折り畳み変形誘導部３６の左の端点同士および右の端点同士を結んだ直線を縦とする横長の略長方形の囲いの内側に構成されているのが望ましい。これにより、角丸面部２５の鉛直方向の撓み易さ（折り畳み易さ）を向上させることができる。
【００２９】  樹脂製容器１１は、上下を反転させた状態でウォーターサーバー上部に設けられる箱状の収容部へ入れられる。そして、この状態で、樹脂製容器１１の出入口部２４から内部の液体である水がウォーターサーバーへ供給される。
【００３０】  ウォーターサーバーで水が消費されて樹脂製容器１１内の水が減少すると、それに伴って可撓性を有する軟質の樹脂製容器１１は、変形して容積が減少する。したがって、水の減少に伴って樹脂製容器１１の内部に空気が入り込むことを防止でき、衛生が確保される。このとき、周面である側面部２２の角丸面部２５上の折り畳み変形誘導部３１〜３６が水の減少に伴って容易に変形する。
【００３１】  本実施形態では、角丸面部２５上に容器１１の内側に凹む構成の第一の折り畳み変形誘導部３１が設けられている。この第一の折り畳み変形誘導部３１は、折り畳み変形の起点になりやすく、容器１１の角丸面部２５が支えになることを防ぐことができ、容器１１内に液体が残留しないように容器１１を潰れさせることができる。より具体的には、第一の折り畳み変形誘導部３１により、液体の廃液と共に容器１１に不規則な向きにかかる力を誘導して容器１１の角丸面部２５が支えになることを防止することができる。その結果、容器１１内で液体が残留しないように容器１１を潰れさせることができる。また、上記の不規則な力は、水の流れ、成形時に生じた容器１１の厚みの微小なばらつき、運搬時等で容器１１についた微小な傷、歪み等により生じると考えられる。本実施形態に係る容器１１では、このような容器１１の状態にかかわらず、容器１１内に液体が残留しないように容器１１を潰れさせることができる。なお、「角丸面部２５が支えになる」とは、例えば、角丸面部２５の両側の側面部２２が先に内側に潰れて角丸面部２５が角張ってしまい、角丸面部２５が鉛直方向において柱状に突っ張ってしまう状態を示す。
【００３２】  また、本実施形態では、さらに角丸面部２５上に容器１１の内側に凹む構成の第二の折り畳み変形誘導部３２が設けられ、折り畳み変形の起点が第一の折り畳み変形誘導部３１と併せて設けられている。互いに異なる向きに第一の折り畳み変形誘導部３１及び第二の折り畳み変形誘導部３２が設けられていることにより、さらに容器１１の角丸面部２５が支えにならないように容器１１に不規則な向きにかかる力を誘導することができる。
【００３３】  また、本実施形態では、さらに角丸面部２５上に容器１１の内側に凹む構成の第三の折り畳み変形誘導部３３が設けられ、折り畳み変形の起点が第一の折り畳み変形誘導部３１及び第二の折り畳み変形誘導部３２と併せて設けられている。互いに異なる向きに設けられている第一の折り畳み変形誘導部３１及び第二の折り畳み変形誘導部３２と併せて、中心軸Ａに対して直行するように第三の折り畳み変形誘導部３３が設けられている。これにより、さらに容器１１の角丸面部２５が支えにならないように、かつ角丸面部２５を内側に折り畳み変形させるように、容器１１に不規則な向きにかかる力を誘導することができる。
【００３４】  また、本実施形態では、さらに角丸面部２５上に容器１１の内側に凹む構成の第四の折り畳み変形誘導部３４〜第六の折り畳み変形誘導部３６が設けられ、折り畳み変形を誘導する領域が設けられている。当該領域によって折り畳み変形を誘導することができるので、広範囲で容器１１に不規則な向きにかかる力を誘導することができる。
【００３５】  また、本実施形態では、角丸面部２５上に前述の折り畳み変形を誘導する領域が中心軸Ａが延びる方向に３つ設けられている。これにより、中心軸Ａが延びる方向について広範囲で容器１１に不規則な向きにかかる力を誘導することができる。
【００３６】（第二の実施形態）  図５〜図７は、本発明の第二の実施形態に係る樹脂製容器１１１を表す図である。本実施形態に係る樹脂製容器１１１は、角丸面部２５に形成された折り畳み変形誘導部が異なる以外は、第一の実施形態に係る樹脂製容器１１と同様である。また、図５〜図７の二点鎖線は、立体的形状を示す線ではないが、角丸面部２５の認識を容易にするための想像線である。
【００３７】  本実施形態において、角丸面部２５上には、長尺状の第一の折り畳み変形誘導部１３１（１３１ａ、１３１ｂ、１３１ｃ及び１３１ｄを総称して１３１と呼ぶ。）が形成されている。この第一の折り畳み変形誘導部１３１は、容器１１１の出入口部２４を通る中心軸Ａと角丸面部２５とが重なるように容器１１１を側面部２２側から見た時（すなわち図６のように見た時。以下単に、容器１１１を角丸面部２５側から見た時、とする。）に、当該中心軸Ａに対して斜めに形成されている。
【００３８】  角丸面部２５上には、長尺状の第二の折り畳み変形誘導部１３２（１３２ａ、１３２ｂ、１３２ｃ及び１３２ｄを総称して１３２と呼ぶ。）が形成されている。第二の折り畳み変形誘導部１３２は、容器１１１を角丸面部２５側から見た時に、第一の折り畳み変形誘導部１３１の中心軸Ａに対する傾きと異なる傾きで中心軸Ａに対して斜めに形成されている。また、第二の折り畳み変形誘導部１３２は、中心軸Ａが角丸面部２５の中心線と重なるように容器１１１を側面部２２側から見た時に、中心軸Ａを対称軸として第一の折り畳み変形誘導部１３１と線対称の関係にある。
【００３９】  角丸面部２５上には、長尺状の第三の折り畳み変形誘導部１３３（１３３ａ、１３３ｂ、１３３ｃ及び１３３ｄを総称して１３３と呼ぶ。）が形成されている。この第三の折り畳み変形誘導部１３３は、容器１１１を角丸面部２５側から見た時に、中心軸Ａに対して直交するように形成され、第三の折り畳み変形誘導部１３３の中心点を中心軸Ａが通る位置に形成されている。第一の折り畳み変形誘導部１３１と第二の折り畳み変形誘導部１３２と第三の折り畳み変形誘導部１３３とは連なって形成されている。
【００４０】  角丸面部２５上には、容器１１１を角丸面部２５側から見た時に、第三の折り畳み変形誘導部１３３を対称軸として第一の折り畳み変形誘導部１３１及び第二の折り畳み変形誘導部１３２とそれぞれ線対称の関係となる、長尺状の第四の折り畳み変形誘導部１３４（１３４ａ、１３４ｂ、１３４ｃ及び１３４ｄを総称して１３４と呼ぶ。）及び第五の折り畳み変形誘導部１３５（１３５ａ、１３５ｂ、１３５ｃ及び１３５ｄを総称して１３５と呼ぶ。）が形成されている。第三の折り畳み変形誘導部１３３と第四の折り畳み変形誘導部１３４と第五の折り畳み変形誘導部１３５とは連なって形成されている。
【００４１】  角丸面部２５上には、容器１１１を角丸面部２５側から見た時に、第一の折り畳み変形誘導部１３１〜第五の折り畳み変形誘導部１３５を挟み込むように形成され、中心軸Ａに対して直交するように形成されている、第三の折り畳み変形誘導部１３３よりも長い長尺状の第六の折り畳み変形誘導部１３６（１３６ａ、１３６ｂ、１３６ｃ及び１３６ｄを総称して１３６と呼ぶ。）及び第七の折り畳み変形誘導部１３７（１３７ａ、１３７ｂ、１３７ｃ及び１３７ｄを総称して１３７と呼ぶ。）が形成されている。第一の折り畳み変形誘導部１３１と第二の折り畳み変形誘導部１３２と第六の折り畳み変形誘導部１３６とは連なって形成されている。第四の折り畳み変形誘導部１３４と第五の折り畳み変形誘導部１３５と第七の折り畳み変形誘導部１３７とは連なって形成されている。
【００４２】  第一の折り畳み変形誘導部１３１及び第二の折り畳み変形誘導部１３２は、第六の折り畳み変形誘導部側１３６の端部から第三の折り畳み変形誘導部１３３の端部に向かうにつれて、容器１１１内部に向かうように形成されている。また、第四の折り畳み変形誘導部１３４及び第五の折り畳み変形誘導部１３５は、第七の折り畳み変形誘導部１３７の端部から第三の折り畳み変形誘導部１３３の端部に向かうにつれて、容器１１１内部に向かうように形成されている。角丸面部２５上には、第一の折り畳み変形誘導部１３１〜第七の折り畳み変形誘導部１３７により形成される１つのユニットが、中心軸Ａが延びる方向に４つ並んで形成されている。
【００４３】  角丸面部２５上には、容器１１１を角丸面部２５側から見た時に、第一の折り畳み変形誘導部１３１及び第二の折り畳み変形誘導部１３２を脚とし、第三の折り畳み変形誘導部１３３を上底とし、第六の折り畳み変形誘導部１３６を下底とする台形が見られる。また、角丸面部２５上には、容器１１１を角丸面部２５側から見た時に、第四の折り畳み変形誘導部１３４及び第五の折り畳み変形誘導部１３５を脚とし、第七の折り畳み変形誘導部１３７を上底とし、第三の折り畳み変形誘導部１３３を下底とする台形が見られる。
【００４４】  容器１１１の底面部２３に最も近い第一の折り畳み変形誘導部１３１ａ〜第七の折り畳み変形誘導部１３７ａにより形成される第一のユニットには、容器１１１を角丸面部２５側から見た時に、第三の折り畳み変形誘導部１３３ａを対称軸として対称となる二つの台形が形成されている。容器１１１の底面部２３に二番目に近い第一の折り畳み変形誘導部１３１ｂ〜第七の折り畳み変形誘導部１３７ｂにより形成される第二のユニットにおいても、同様の二つの台形が形成されている。容器１１１の底面部２３に三番目に近い第一の折り畳み変形誘導部１３１ｃ〜第七の折り畳み変形誘導部１３７ｃにより形成される第三のユニットにおいても、同様の二つの台形が形成されている。容器１１の底面部２３に四番目に近い第一の折り畳み変形誘導部１３１ｄ〜第七の折り畳み変形誘導部１３７ｄにより形成される第四のユニットにおいても、同様の二つの台形が形成されている。底面部２３側から上面部２１側に向かうにつれて、各ユニットに見られる台形の高さが大きくなっている。
【００４５】  本実施形態では、角丸面部２５上に、第六の折り畳み変形誘導部側１３６の端部から第三の折り畳み変形誘導部１３３の端部に向かうにつれて容器１１１内部に向かう、第一の折り畳み変形誘導部１３１が設けられている。この第一の折り畳み変形誘導部１３１が折り畳み変形の起点になりやすい。これにより、容器１１１の角丸面部２５が支えになることを防ぐことができ、容器１１１内に液体が残留しないように容器１１１を潰れさせることができる。より具体的には、第一の折り畳み変形誘導部１３１により液体の廃液と共に容器１１１に不規則な向きにかかる力を誘導して、容器１１１の角丸面部２５が支えになることを防止することができる。その結果、容器１１１内で液体が残留しないように容器１１１を潰れさせることができる。また、上記の不規則な力は、水の流れ、成形時に生じた容器１１１の厚みの微小なばらつき、運搬時等で容器１１１についた微小な傷、歪み等により、生じると考えられる。本実施形態に係る容器１１１では、このような容器１１１の状態にかかわらず、容器１１１内に液体が残留しないように容器１１１を潰れさせることができる。
【００４６】  また、本実施形態では、さらに角丸面部２５上に、第六の折り畳み変形誘導部１３６の端部から第三の折り畳み変形誘導部１３３の端部に向かうにつれて容器１１１内部に向かう、第二の折り畳み変形誘導部１３２が設けられ、折り畳み変形の起点が第一の折り畳み変形誘導部１３１と併せて設けられている。互いに異なる向きに第一の折り畳み変形誘導部１３１及び第二の折り畳み変形誘導部１３２が設けられていることにより、さらに容器１１１の角丸面部２５が支えにならないように容器１１１に不規則な向きにかかる力を誘導することができる。
【００４７】  また、本実施形態では、さらに第六の折り畳み変形誘導部１３６よりも容器１１１の内側に第三の折り畳み変形誘導部１３３が設けられ、折り畳み変形の起点が第一の折り畳み変形誘導部１３１及び第二の折り畳み変形誘導部１３２と併せて設けられている。互いに異なる向きに設けられている第一の折り畳み変形誘導部１３１及び第二の折り畳み変形誘導部１３２と併せて、中心軸Ａに対して直行するように第三の折り畳み変形誘導部１３３が設けられている。これにより、さらに容器１１１の角丸面部２５が支えにならないように、かつ角丸面部２５を内側に折り畳み変形させるように、容器１１１に不規則な向きにかかる力を誘導することができる。
【００４８】  また、本実施形態では、さらに角丸面部２５上に、第七の折り畳み変形誘導部１３７の端部から第三の折り畳み変形誘導部１３３の端部に向かうにつれて容器１１１内部に向かう、第四の折り畳み変形誘導部１３４及び第五の折り畳み変形誘導部１３５が設けられている。そして、第一の折り畳み変形誘導部１３１〜第七の折り畳み変形誘導部１３７により折り畳み変形を誘導する領域が設けられている。当該領域によって折り畳み変形を誘導することができるので、広範囲で容器１１１に不規則な向きにかかる力を誘導することができる。
【００４９】  また、本実施形態では、角丸面部２５上に前述の折り畳み変形を誘導する領域が中心軸Ａが延びる方向に４つ設けられている。これにより、中心軸Ａが延びる方向について広範囲で容器１１１に不規則な向きでかかる力を誘導することができる。
【００５０】  また、ウォーターサーバー用の樹脂製容器１１１は、容器１１１内の液体の廃液時に、底面部２３側の側面部２２が、上面部２１側の側面部２２よりも先に潰れる。容器１１１の底面部２３に最も近い第一のユニットに見られる台形の高さを小さくすることで、廃液の初期において容器１１１の変形を誘導しやすくなり、容器１１１の角丸面部２５が支えになることを防止することができる。そして、廃液が進むと、内部の液体が減ることで液体による支えがなくなるため、変形する容器１１１の高さ幅が大きくなる場合が多い。容器１１１の上面部２１側に向かうにつれて各ユニットに見られる台形の高さを大きくすることで、廃液の中期及び終期においても容器１１１の変形を誘導しやすくなり、容器１１１の角丸面部２５が支えになることを防止することができる。
【００５１】  なお、上述した第一の実施形態において、角丸面部２５上には、容器１１を角丸面部２５側から見た時に、第一の折り畳み変形誘導部３１及び第二の折り畳み変形誘導部３２を脚とし、第三の折り畳み変形誘導部３３側の第一の折り畳み変形誘導部３１及び第二の折り畳み変形誘導部３２の端部を結ぶ想像線を上底とし、第六の折り畳み変形誘導部３６側の第一の折り畳み変形誘導部３１及び第二の折り畳み変形誘導部３２の端部を結ぶ想像線を下底とする台形が見られる。また、角丸面部２５上には、容器１１を角丸面部２５側から見た時に、第四の折り畳み変形誘導部３４及び第五の折り畳み変形誘導部３５を脚とし、第六の折り畳み変形誘導部３６側の第四の折り畳み変形誘導部３４及び第五の折り畳み変形誘導部３５の端部を結ぶ想像線を上底とし、第三の折り畳み変形誘導部３３側の第四の折り畳み変形誘導部３４及び第五の折り畳み変形誘導部３５の端部を結ぶ想像線を下底とする台形が見られる。すなわち、第一の折り畳み変形誘導部３１〜第六の折り畳み変形誘導部３６により形成される１つのユニットの中に上記台形が２つ見られる。
【００５２】  第一の実施形態においても、底面部２３側から上面部２１側に向かうにつれて、各ユニットに見られる台形の高さが大きくなるように、第一の折り畳み変形誘導部３１〜第六の折り畳み変形誘導部３６を形成してもよい。容器１１の底面部２３に最も近いユニットに見られる台形の高さを小さくすることで、廃液の初期において容器１１の変形を誘導しやすくなり、容器１１の角丸面部２５が支えになることを防止することができる。そして、容器１１の上面部２１側に向かうにつれて各ユニットに見られる台形の高さを大きくすることで、廃液の中期及び終期においても容器１１の変形を誘導しやすくなり、容器１１の角丸面部２５が支えになることを防止することができる。
【００５３】  このように、上記実施形態によれば、容器内での液体の残留を防止することができるウォーターサーバー用樹脂製容器を提供できる。
【００５４】  なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。例えば、容器は略直方体形状になっていても構わない。
【００５５】  本願は、２０１７年３月３１日付で出願された日本国特許出願（２０１７−０６９７７８）に基づいており、その全体が引用により援用される。また、ここに引用されるすべての参照は全体として取り込まれる。
【符号の説明】
【００５６】１１，１１１：樹脂製容器、２１：上面部、２２：側面部、２３：底面部、２４：出入口部、２５：角丸面部、３１，１３１：第一の折り畳み変形誘導部、３２，１３２：第二の折り畳み変形誘導部、３３，１３３：第三の折り畳み変形誘導部、３４，１３４：第四の折り畳み変形誘導部、３５，１３５：第五の折り畳み変形誘導部、３６，１３６：第六の折り畳み変形誘導部、１３７：第七の折り畳み変形誘導部、Ａ：中心軸
【図１】
2018181574.tif 000003
【図２】
2018181574.tif 000004
【図３】
2018181574.tif 000005
【図４】
2018181574.tif 000006
【図５】
2018181574.tif 000007
【図６】
2018181574.tif 000008
【図７】
2018181574.tif 000009
【国際調査報告】
2018181574.tif 000010
2018181574.tif 000011